(57)【要約】【課題】  試験台にマウントした被試験レンズ（ボディを含む）を外して再マウントしなくても、当該レンズに対して上下方向及び左右方向での振動を選択して加えることができる加振方法を提供すること。【解決手段】  被試験レンズ１の光軸Ｌに直交する向きで前記レンズ１がマウントされる試験台３を配設し、該試験台３の背面側に、その背面に前記光軸Ｌを横切る方向の振動を付与する加振体５を、前記被試験レンズ１の光軸Ｌの回りにおいて角回転させて位置決めすることにより、当該レンズ１に対し左右方向と上下方向での振動を選択して加えること。【選択図】図１
2008299224.tif 000002
【特許請求の範囲】
【請求項１】
被試験レンズの光軸に直交する向きで前記レンズがマウントされる試験台を垂直向きで配設し、該試験台の背面側に、前記光軸を横切る方向で前記試験台に振動を付与する加振体を配設し、該加振体を振動させることにより前記試験台に手振れに相当する振動を加えることを特徴とするカメラの手振れ補正機能を評価するための加振方法。
【請求項２】
加振体を前記レンズの光軸の回りに関し角回転させて位置決めすることにより、当該レンズに対し左右方向（ヨーイング）と上下方向（ピッチング）での振動を選択して加えることができる請求項１のカメラの手振れ補正機能を評価するための加振方法。
【請求項３】
加振体は、試験台の背面に対し光軸の回りに関し略45度の角度を以て配設し、ヨーイング成分とピッチング成分を持つ振動を加えることができる請求項１のカメラの手振れ補正機能を評価するための加振方法。
【発明の詳細な説明】
【技術分野】
【０００１】
本発明は、一眼レフカメラの交換レンズのように、単体に手振れ補正機能を組込んだカメラレンズやカメラボディ（レンズ付き、以下同じ。）の当該補正機能を評価するために行う評価試験において、当該レンズやボディに振動（人工的手振れ現象）を加える加振方法に関する。
【背景技術】
【０００２】
手振れ補正機能を備えた交換レンズやカメラボディの評価試験において、被試験レンズやレンズを装着した被試験ボディ（以下、これらを単に「被試験レンズ」ということもある）に手振れに相当する微かな振動を加える形態は、図示しないが、レンズ単体（又はレンズ装着したカメラボディ）を固定した水平姿勢の試験台を、その試験台の下面の一端部を支点とすると共に、他端面に回転できる偏心カムを当接させて当該台の下面から支持し、前記偏心カムを回転させて前記試験台に支点を中心とする揺動振動を与えることが考えられる。
【０００３】
上記において試験台の支点は、被試験レンズの焦点（結像点）に対応した位置に設定されているので、被試験レンズにその前方からテストビーム（スポット光ともいう）を投射すると、前記焦点にテストビームが結像する。
そこで、結像点にPSDなどの位置センサーを置いてテストをすると、当該レンズやボディに組込まれた手振れ補正機構が正常に機能すればこのレンズの結像点に結ぶテストビームの結像が揺れないことを、また、補正機能が正常に機能しなければ結像が揺れることを、前記PSDなどによるセンサーの出力信号に基づいて検出すれば、手振れ補正機能の評価が可能である。
【０００４】
しかし、上記の加振態様では、試験台の上でレンズやボディの上下方向の振動（ピッチング）しか生起できないので、当該レンズにその左右方向での振動（ヨーイング）を与えるには、上記レンズやボディのマウントを一旦外し、当該レンズやボディをその光軸上で90度回転させて試験台に再マウントしなければならいという煩しさがあった。
【発明の開示】
【発明が解決しようとする課題】
【０００５】
そこで、本発明では試験台にマウントした被試験レンズ（ボディを含む）を外して再マウントしなくても、当該レンズに対して上下方向及び左右方向での振動を選択して加えることができる加振方法を提供することを課題とする。
【課題を解決するための手段】
【０００６】
上記課題を解決することを目的としてなされた本発明加振方法の構成は、被試験レンズの光軸に直交する向きで前記レンズがマウントされる試験台を配設し、該試験台の背面側に、その背面に前記光軸を横切る方向の振動を付与する加振体を、前記被試験レンズの光軸の回りにおいて角回転させて位置決めすることにより、当該レンズに対し左右方向と上下方向での振動を選択して加えることを特徴とするものである。
【発明の効果】
【０００７】
本発明加振方法は、被試験レンズ（レンズ単体、又は、カメラボディに装着されたものの双方を含む、以下、同じ。）の光軸に直交する向きで前記レンズがマウントされる試験台を配設し、該試験台の背面に、その試験台に前記光軸を横切る方向の振動を付与する加振体を、前記被試験レンズの光軸の回りにおいて角回転させて位置決めすることにより、当該レンズに対し左右方向（ヨーイング）と上下方向（ピッチング）での振動を選択して加えることができるので、試験台に一度マウントした被試験レンズのマウントをやり直すことなく、当該レンズにその左右方向（ヨーイング）と上下方向（ピンチング）の振動を加えることができる。
【発明を実施するための最良の形態】
【０００８】
次に、本発明方法の実施の形態例について、図により説明する。
図１は本発明加振方法を用いた手振れ補正機能の評価装置の一例を模式的に示した側面図である。
【０００９】
図１において、１は一眼レフカメラ用のレンズで、本発明が対象とする被検査レンズ、２は前記レンズ１の光軸Ｌの上に配したテストパターン用の光源で、例えばレーザー光やLED光などのコリメート光を用いるが、本発明においては、光源がこれらに限られることはない。
【００１０】
３は、上記レンズ１をその受光側（背面側）で支持し当該レンズ１を試験のために保持する試験台で、ここでは前記レンズ１の光軸Ｌと直交した向き（図の縦向き）で配置されている。試験台３の中央部にはレンズ１を貫通させてセットするチャック3aが備えられていると共に、この試験台３の後面側であって、前記レンズ１の焦点（結像面）ｆには、前記レンズ１のピクセル面にPSDなどによる位置センサ４が配置されている。このセンサ４は、光源２からのテストビーム（スポット光）を受光するので、前記試験台３の中央部には、PSDのピクセル面にレンズ１を通ったスポット光が届くように、レンズ１を遊挿して保持するチャック3a付きの貫通穴が設けられている。
【００１１】
５は上記試験台３に手振れに当る振動を付与するための加振バーで、ここでは、試験台３の裏面に当接させた略Ｌ状の剛性部材により形成され、下方の水平部が±0.1度〜0.5度程度の範囲で往復振動の動作をする加振モータ６の軸6aに接続されており、この加振バー５とモータ６により加振体の一例を形成する。加振モータの軸6aの中心は、前記レンズ１の焦点（結像面）と一致するように設定されている。
【００１２】
上記加振モータ６は、水平姿勢の支持アーム７の先端側（図１の左側）に載置されている。これにより、当該モータ６が、一例として±0.1〜0.5度程度の範囲で往復回転角で１〜８Hz程度の範囲で振動をすると、試験台３の下端部に、前記加振バー５の垂直部の左右振動によって光軸Ｌを横断する方向（図の紙面に垂直な方向）の振動が付加されることになる。これにより、レンズ１には、図１においては、光軸Ｌに関して左右方向の振動（ヨーイング）が付与される。
【００１３】
一方、水平な支持アーム７の後端部は、図１では垂直姿勢のベース部材８の下端部に結合され、全体として略Ｌ状の公転アームに形成されている。ベース部材８の上端側には軸取付け用ブラケット8aが配設され、該ブラケット8aに水平な軸９が公転軸として貫通固着されている。この軸９の両端は、図１の左端（一端）側が軸受10に支持される一方、他端側にモータ11が連結されている。なお、図１において、Ｆはベースや基板などの固定系である。
【００１４】
上記支持アーム７とベース部材８による公転アームと軸９がなすクランク状の形態によって、モータ11の例えば90度回転により、支持アーム７に設けた加振モータ６は、加振バー５と一体に回転（図１の紙面に直交する面内で）できることとなる。そこで前記の回転を、一例として90度にすると、加振バー５と試験台３の当接結合位置（係合位置）は、図１に実線で示した位置から光軸Ｌの回りを、時計回り方向又は反対方向に90度回転した位置に変位することになる。加振バー５と試験台３は、仮止めクランプ3bなどの係止具で試験時には結合され、前記の90度回転時には前記結合が解かれる。この結果、加振バー５が90度回転してもレンズ，試験台３の向きは、図１の姿勢のままである。
【００１５】
加振バー５が90度回転し、試験台３に対する当接結合の向きが、図１の垂直方向から水平方向（試験台３において、光軸Ｌを正面から見た左右方向）に変更されると、元の向きのままの試験台３にマウントして固定されている被試験レンズ１には、加振バー５のモータ６による振動により、試験台３を介してレンズ１の上下方向（光軸Ｌの正面に関して）での振動（ピッチング）が付与されることになる。
【００１６】
本発明方法における上記レンズ１に対するピッチング（上下方向の振動）とヨーイング（左右方向の振動）は、レンズ１の試験台３に対するマウントを変更することなく、モータ11の正，逆方向での例えば90度の角回転によって任意に変更乃至設定することができる。従って、モータ11の回転で加振バー５を光軸Ｌの回りに関し45度回転させ、この向きで加振動バー５をモータ６の駆動で振動させると、レンズ１にはピッチング（上下動）とヨーイング（水平動）の両成分を持つ振動が加えられることになるので、レンズ１のピッチング方向とヨーイング方向での手振れ補正機能を１回の試験で評価できることとなる。
【００１７】
ここで、位置センサ４に生じる、レンズ１が内蔵した手振れ補正機構の作用を評価するための信号の取扱いは、一例として補正機構が正常動作したときは加振のないときのセンサ出力と同等（許容される差を含む）であるから正常（問題なし）と判断し、補正機構の動作に問題があれば加振しないときのセンサ出力との差が顕著なため異常と判断するという具合に扱えばよい。なお、レンズ１がボディに装着された状態での試験では、位置センサ４の代わりにボディ内に配置されているCCDなどによる撮像素子の受像面に生じる信号を、評価のための信号として利用することができる。
【００１８】
一般に、交換レンズ１に組込まれる手振れ補正機構の性能は、各レンズ或はカメラのグレードや構造，価格などにより均一ではない。つまり、高性能の補正機構もあれば通常レベル性能の補正機能もある。
【００１９】
本発明では、被試験レンズ１に組込まれている手振れ補正機能の性能に応じて、試験台３に付与する振動振幅及び振動数を自由かつ連続的に変化させることができる。これによりレンズやボディに組込まれた手振れ補正機能の性能に応じた合理的な評価をすることができる。
【００２０】
上記例において、位置センサ４の受光面はレンズ１の焦点ｆに一致する位置に固定したが、該センサ４の位置は図１の焦点ｆより前方に設置（この場合、レンズ１も前方に設置される）して試験することもある。また、本発明方法を実施できる図１の装置を多少改造することにより、レンズ１やボディにローリング補正機構が内蔵されたレンズやボディに対し、当該ローリング補正機能が機能しているか否かの評価をするための装置に形成することができる。
【産業上の利用可能性】
【００２１】
本発明は以上の通りであって、被試験レンズの光軸に直交する向きで前記レンズがマウントされる試験台を配設し、該試験台の背面側に、その背面に前記光軸を横切る方向の振動を付与する加振体を、前記被試験レンズの光軸の回りにおいて角回転させて位置決めすることにより、当該レンズに対し左右方向と上下方向での振動を選択して加えるようにしたので、試験台にマウントした被試験レンズを外して再マウントしなくても、当該レンズに対して上下方向及び左右方向での振動を選択して加えることができるという格別の効果が得られる。
【図面の簡単な説明】
【００２２】
【図１】本発明加振方法を用いた手振れ補正機能の評価装置の一例を模式的に示した側面図。
【符号の説明】
【００２３】
１    被試験レンズ（ボディに装着されたレンズを含む）
２    試験用の光源（又はパターン）
３    試験台
４    センサ
５    加振バー
６    加振モータ
７    支持アーム
８    ベース部材
９    公転軸
10    軸受
11    モータ
【図１】
2008299224.tif 000003